(57)【特許請求の範囲】
【請求項１】
携帯情報端末機と、前記携帯情報端末機に移動体通信網を介して接続されるとともにコンピュータネットワークに接続される施設内画像情報提供サイトと、施設内に設置された撮像手段を備えていてこの撮像手段によって得られた画像信号をコンピュータネットワークに送信する施設サイトとを備え、
前記携帯情報端末機が、画像を表示する表示部、および、コンピュータネットワークに接続された移動体通信網を介して送信されてくる画像信号を受信する画像信号受信手段，この画像信号受信手段によって受信した画像信号を再生して前記表示部に表示させる画像信号再生手段，前記画像信号受信手段に画像信号を送信する撮像手段を判定するための位置検出信号を移動体通信網を介してコンピュータネットワークに出力する位置検出信号出力手段を備えており、
前記施設内画像情報提供サイトが、前記携帯情報端末機の位置検出信号出力手段から入力されてくる位置検出信号に基づいて画像信号の受信を行う前記施設サイトを判定する判定手段と、この画像信号の受信を行うことを判定した施設サイトの撮像手段からコンピュータネットワークを介して入力されてくる画像信号を移動体通信網を介して携帯情報端末機に送信する送信手段と、前記施設サイト毎に前記撮像手段を駆動制御するためのプログラムが格納されているプログラムデータベースを備えている、
ことを特徴とする携帯情報端末機による施設内画像情報提供システム。
【請求項２】
前記位置検出信号出力手段が全地球測位システムである請求項１に記載の携帯情報端末機による施設内画像情報提供システム。
【請求項３】
前記携帯情報端末機が携帯電話機である請求項１に記載の携帯情報端末機による施設内画像情報提供システム。
【請求項４】
前記プログラムデータベースに格納された施設サイト毎のプログラムに携帯情報端末機を識別する識別データが付加されていて、この携帯情報端末機の識別データが前記判定手段によって判定された施設サイトに送信される請求項１に記載の携帯情報端末機による施設内画像情報提供システム。
【請求項５】
前記施設内画像情報提供サイトが、前記施設サイトが設置されている施設に関する情報が記録されて前記判定手段に施設サイトの判定のためのデータを提供する登録施設データベースを備えている請求項１に記載の携帯情報端末機による施設内画像情報提供システム。
【請求項６】
前記登録施設データベースに、登録された施設の位置を示す位置データが記録されている請求項５に記載の携帯情報端末機による施設内画像情報提供システム。
【請求項７】
前記施設内画像情報提供サイトの判定手段が、コンピュータネットワークに接続された地図データベースサイトに蓄積されている施設の位置を示す位置情報によって施設の有無を確認することにより前記判定を行う請求項１に記載の携帯情報端末機による施設内画像情報提供システム。
【請求項８】
前記判定手段が、前記携帯情報端末機の位置検出信号出力手段から入力されてくる位置検出信号が施設内の位置を示しているときに、その施設に設置されている施設サイトを画像信号の受信を行う施設サイトと判定する請求項１に記載の携帯情報端末機による施設内画像情報提供システム。
【請求項９】
携帯情報端末機と、前記携帯情報端末機に移動体通信網を介して接続されるとともにコンピュータネットワークに接続される施設内画像情報提供サイトと、施設内に設置された撮像手段を備えていてこの撮像手段によって得られた画像信号をコンピュータネットワークに送信する施設サイトとを備え、
前記携帯情報端末機が、画像を表示する表示部、および、コンピュータネットワークに接続された移動体通信網を介して送信されてくる画像信号を受信する画像信号受信手段，この画像信号受信手段によって受信した画像信号を再生して前記表示部に表示させる画像信号再生手段，携帯情報端末機の位置を検出してその位置検出信号を移動体通信網を介してコンピュータネットワークに出力する位置検出信号出力手段を備えており、
前記施設内画像情報提供サイトが、前記携帯情報端末機の位置検出信号出力手段から入力されてくる位置検出信号に基づいてこの位置検出信号が示す位置の周辺に位置する施設を検出するとともに検出された施設を表示する表示信号を携帯情報端末機に送信する施設検出手段と、携帯情報端末機において表示信号により表示された施設に設置されている前記施設サイトの撮像手段からコンピュータネットワークを介して入力されてくる画像信号を移動体通信網を介して携帯情報端末機に送信する送信手段とを備えている、
ことを特徴とする携帯情報端末機による施設内画像情報提供システム。
【請求項１０】
前記施設検出手段が、地図データベースと施設データベースを備えていて地図情報およびこの地図情報内に含まれる施設情報の提供を行う地図データベースサイトである請求項９に記載の携帯情報端末機による施設内画像情報提供システム。
【請求項１１】
前記施設検出手段が、前記携帯情報端末機から入力されてくる位置検出信号に基づいて、この位置検出信号が示す位置の周辺に位置するとともに携帯情報端末機において指定されたカテゴリに含まれる施設の検出を行う請求項９に記載の携帯情報端末機による施設内画像情報提供システム。
【請求項１２】
前記携帯情報端末機が、前記施設内画像情報提供サイトの施設検出手段によって検出された複数の施設のうち画像信号の受信を行う施設を指定する施設指定手段を備えている請求項９に記載の携帯情報端末機による施設内画像情報提供システム。
【請求項１３】
携帯情報端末機と、前記携帯情報端末機に移動体通信網を介して接続されるとともにコンピュータネットワークに接続される施設内画像情報提供サイトと、施設内に設置された撮像手段を備えていてこの撮像手段によって得られた画像信号をコンピュータネットワークに送信する施設サイトとを備え、
前記携帯情報端末機が、画像を表示する表示部、および、コンピュータネットワークに接続された移動体通信網を介して送信されてくる画像信号を受信する画像信号受信手段，この画像信号受信手段によって受信した画像信号を再生して前記表示部に表示させる画像信号再生手段，施設指定信号を移動体通信網を介してコンピュータネットワークに出力する施設指定手段を備えており、
前記施設内画像情報提供サイトが、前記携帯情報端末機の施設指定手段から入力されてくる施設指定信号によって指定された施設に設置されている前記施設サイトの撮像手段からコンピュータネットワークを介して入力されてくる画像信号を移動体通信網を介して携帯情報端末機に送信する送信手段を備えている、
ことを特徴とする携帯情報端末機による施設内画像情報提供システム。
【請求項１４】
前記携帯情報端末機の施設指定手段が、前記施設サイトのＵＲＬによって施設の指定を行う請求項１３に記載の携帯情報端末機による施設内画像情報提供システム。
【請求項１５】
前記施設内画像情報提供サイトが、住所によって施設の検索を行う施設検索手段を備え、この施設検索手段が、前記携帯情報端末機の施設指定手段から送信されてくる施設の住所を示す施設指定信号に基づいて前記施設サイトが設置されている施設の検索を行う請求項１３に記載の携帯情報端末機による施設内画像情報提供システム。
【請求項１６】
前記施設検出手段が、地図データベースと施設データベースと住所データベースを備えていて地図情報およびこの地図情報内に含まれる施設情報の提供を行う地図データベースサイトである請求項１３に記載の携帯情報端末機による施設内画像情報提供システム。
【発明の詳細な説明】
【０００１】
【発明の属する技術分野】
この発明は、ディスプレイを備えた多機能の携帯情報端末機およびこの携帯情報端末機に店内の様子等を映した画像情報を提供するシステムに関する。
【０００２】
【発明が解決しようとする課題】
一般に、店舗等に買い物に入ったお客は、その入った店舗がデパートや大型の店舗のように店内を見渡すことが出来ないような場合に、店内を移動することなく所望する商品の売り場の様子や混み具合等を知りたいと思うことがよくある。
【０００３】
このような場合、店舗の所要の箇所にモニタテレビを配置しておいて、常に店内の様子を映した画像を表示することによりお客の利用に供するといったことも考えられるが、モニタテレビを何台も設置しなければならず、そのための費用が嵩み、また、利用者も、店内の様子を見ようとした場合には、そのモニタテレビの設置場所を探してその設置場所まで移動しなければならないために、必ずしも利用者のニーズに合った十分な利用が行われるとは考え難い。
【０００４】
また、インターネットを利用するユーザが、配信されてくるバナー広告を見たり検索によって所望の施設やレストランその他の店舗等を見つけ出して入店しようとした場合に、従来は、その施設や店舗等の概要については広告内容や説明書き等によって知ることが出来るが、その施設や店内の様子、例えば実際に陳列されている商品の様子やその時の込み具合といった店内の生の情報については認識することが出来ず、入店するかどうかの判断に迷ったり、また、入店して期待を裏切られるといった場合が生じる。
【０００５】
このため、一般に、入店を希望する店舗等の施設内の様子を事前に知りたいという要望がある。
【０００６】
この発明は、上記のような従来からの各種要望に応えるために為されたものである。
すなわち、この発明は、施設内の画像情報を容易に入手することが出来るようにすることを目的としている。
【００１３】
【課題を解決するための手段】
第１の発明による携帯情報端末機による施設内画像情報提供システムは、前記目的を達成するために、携帯情報端末機と、前記携帯情報端末機に移動体通信網を介して接続されるとともにコンピュータネットワークに接続される施設内画像情報提供サイトと、施設内に設置された撮像手段を備えていてこの撮像手段によって得られた画像信号をコンピュータネットワークに送信する施設サイトとを備え、前記携帯情報端末機が、画像を表示する表示部、および、コンピュータネットワークに接続された移動体通信網を介して送信されてくる画像信号を受信する画像信号受信手段，この画像信号受信手段によって受信した画像信号を再生して前記表示部に表示させる画像信号再生手段，前記画像信号受信手段に画像信号を送信する撮像手段を判定するための位置検出信号を移動体通信網を介してコンピュータネットワークに出力する位置検出信号出力手段を備えており、前記施設内画像情報提供サイトが、前記携帯情報端末機の位置検出信号出力手段から入力されてくる位置検出信号に基づいて画像信号の受信を行う前記施設サイトを判定する判定手段と、この画像信号の受信を行うことを判定した施設サイトの撮像手段からコンピュータネットワークを介して入力されてくる画像信号を移動体通信網を介して携帯情報端末機に送信する送信手段と、前記施設サイト毎に前記撮像手段を駆動制御するためのプログラムが格納されているプログラムデータベースを備えていることを特徴としている。
【００１４】
この第１の発明による携帯情報端末機による施設内画像情報提供システムは、携帯情報端末機が、搭載している位置検出信号出力手段によって携帯情報端末機が位置している場所を検出してその位置検出信号を移動体通信網からコンピュータネットワークを介して施設内画像情報提供サイトに送信すると、施設内画像情報提供サイトは、その判定手段が、携帯情報端末機の位置検出信号出力手段から入力されてくる位置検出信号に基づいて、画像信号の受信を行う施設サイト、すなわち、位置検出信号を送信している携帯情報端末機が位置している施設に設置されている施設サイトの判定を行うことによって、画像信号の受信を行うことを判定した施設サイトとのコンピュータネットワークを介した接続を行う。
【００１５】
そして、このコンピュータネットワークを介して接続された施設サイトから施設内に設置されている撮像手段によって撮影された施設内の様子を映した画像信号が施設内画像情報提供サイトに送信されてくると、施設内画像情報提供サイトの送信手段が、この画像信号を、位置検出信号を送信している携帯情報端末機にコンピュータネットワークおよび移動体通信網を介して送信する。
【００１６】
位置検出信号を送信している携帯情報端末機は、その画像信号受信手段が、施設内画像情報提供サイトから送信されてくる画像信号を受信すると、画像信号再生手段がこの受信した画像信号を再生して表示部に表示させる。
そして、このとき、施設内画像情報提供サイトは、その判定手段によって画像信号の受信を行う施設サイト、すなわち、携帯情報端末機が位置している施設に設置された施設サイトの判定を行うと、プログラムデータベースから、画像信号の受信を行う施設サイトに対応して格納されている撮像手段の駆動制御のためのプログラムを読み出して、このプログラムにより施設サイトに備えられた撮像手段を駆動制御して、施設内の撮影を行わせる。
【００１７】
以上のように、上記第１の発明によれば、撮像手段を有する施設サイトが設置されている施設内に入ったユーザは、携帯している携帯情報端末機によって、施設内の画像情報を容易に入手することが出来るようになり、施設内の様子を見ようとした場合に、モニタテレビの設置場所を探してその設置場所まで移動しなければならないといった不便を解消することができるとともに、施設側も利用者のニーズに応えるためにモニタテレビを何台も設置する必要がなくなり、そのための費用を低減することが出来るようになる。
さらに、施設サイトごとに施設の状態に合わせて撮像手段の駆動制御を行うことが可能になり、携帯情報端末機にユーザの要求に合った適正な画像を表示させることが出来るようになる。
【００１８】
第２の発明による携帯情報端末機による施設内画像情報提供システムは、前記目的を達成するために、第１の発明の構成に加えて、前記位置検出信号出力手段が全地球測位システムであることを特徴としており、これによって、コンピュータネットワークを介して施設内の画像を提供する施設内画像情報提供サイトへの携帯情報端末機の位置情報の確実な提供が行われる。
【００１９】
第３の発明による携帯情報端末機による施設内画像情報提供システムは、前記目的を達成するために、第１の発明の構成に加えて、前記携帯情報端末機が携帯電話機であることを特徴としており、これによって、移動体通信網を介した施設内画像情報の受信が容易に行われるようになる。
【００２３】
第４の発明による携帯情報端末機による施設内画像情報提供システムは、前記目的を達成するために、第１の発明の構成に加えて、前記プログラムデータベースに格納された施設サイト毎のプログラムに携帯情報端末機を識別する識別データが付加されていて、この携帯情報端末機の識別データが前記判定手段によって判定された施設サイトに送信されることを特徴としており、これによって、位置検出信号を出力している携帯情報端末機を識別する識別データが、その携帯情報端末機が位置している施設サイトに送信されることによって、この施設サイトが施設内に位置している携帯情報端末機を識別することが出来るようになるので、施設サイトから施設内画像情報提供サイトを介さないで、直接、携帯情報端末機に施設内を撮影した画像信号を送信することが可能になる。
【００２４】
第５の発明による携帯情報端末機による施設内画像情報提供システムは、前記目的を達成するために、第１の発明の構成に加えて、前記施設内画像情報提供サイトが、前記施設サイトが設置されている施設に関する情報が記録されて前記判定手段に施設サイトの判定のためのデータを提供する登録施設データベースを備えていることを特徴としている。
【００２５】
この第５の発明による携帯情報端末機による施設内画像情報提供システムによれば、施設サイトが設置されていて施設内画像情報提供システムに登録されている施設に関する各種の情報が登録施設データベースに記録され、この登録施設データベースを判定手段が携帯情報端末機から送信されてくる位置検出信号に基づいて検索することによって、施設の登録の有無を含む判定が行われる。
【００２６】
第６の発明による携帯情報端末機による施設内画像情報提供システムは、前記目的を達成するために、第５の発明の構成に加えて、前記登録施設データベースに、登録された施設の位置を示す位置データが記録されていることを特徴としており、これによって、施設内画像情報提供システムの判定手段が、携帯情報端末機から送信されてくる位置検出信号が示す携帯情報端末機の位置と登録施設データベースに記録されている位置データが示す登録施設の位置とを対比することによって、画像信号の受信を行う施設サイトの判定を容易に行うことが出来るようになる。
【００２７】
第７の発明による携帯情報端末機による施設内画像情報提供システムは、前記目的を達成するために、第１の発明の構成に加えて、前記施設内画像情報提供サイトの判定手段が、コンピュータネットワークに接続された地図データベースサイトに蓄積されている施設の位置を示す位置情報によって施設の有無を確認することにより前記判定を行うことを特徴としており、これによって、施設内画像情報提供サイトに、この施設内画像情報提供システムに登録された施設の位置情報を蓄積する必要が無くなるので、この施設内画像情報提供システムの登録施設が移転したような場合であっても、施設内画像情報提供システムにおける登録施設に関する情報の設定変更が必要なくなり、施設内画像情報提供システムの円滑な運営が可能になる。
【００２８】
第８の発明による携帯情報端末機による施設内画像情報提供システムは、前記目的を達成するために、第１の発明の構成に加えて、前記判定手段が、前記携帯情報端末機の位置検出信号出力手段から入力されてくる位置検出信号が施設内の位置を示しているときに、その施設に設置されている施設サイトを画像信号の受信を行う施設サイトと判定することを特徴としている。
【００２９】
この第８の発明による携帯情報端末機による施設内画像情報提供システムによれば、入店した店舗などの施設に施設サイトが設置されている場合に、携帯情報端末機を携帯するユーザは、施設内の様子を映した画像情報を入手してその場でチェックすることが出来るので、モニタテレビの設置場所を探してその設置場所まで移動しなければならないといった不便を解消することができるとともに、施設側も利用者のニーズに応えるためにモニタテレビを何台も設置する必要がなくなり、そのための費用を低減することが出来るようになる。
【００３０】
第９の発明による携帯情報端末機による施設内画像情報提供システムは、前記目的を達成するために、携帯情報端末機と、前記携帯情報端末機に移動体通信網を介して接続されるとともにコンピュータネットワークに接続される施設内画像情報提供サイトと、施設内に設置された撮像手段を備えていてこの撮像手段によって得られた画像信号をコンピュータネットワークに送信する施設サイトとを備え、前記携帯情報端末機が、画像を表示する表示部、および、コンピュータネットワークに接続された移動体通信網を介して送信されてくる画像信号を受信する画像信号受信手段，この画像信号受信手段によって受信した画像信号を再生して前記表示部に表示させる画像信号再生手段，携帯情報端末機の位置を検出してその位置検出信号を移動体通信網を介してコンピュータネットワークに出力する位置検出信号出力手段を備えており、前記施設内画像情報提供サイトが、前記携帯情報端末機の位置検出信号出力手段から入力されてくる位置検出信号に基づいてこの位置検出信号が示す位置の周辺に位置する施設を検出するとともに検出された施設を表示する表示信号を携帯情報端末機に送信する施設検出手段と、携帯情報端末機において表示信号により表示された施設に設置されている前記施設サイトの撮像手段からコンピュータネットワークを介して入力されてくる画像信号を移動体通信網を介して携帯情報端末機に送信する送信手段とを備えていることを特徴としている。
【００３１】
この第９の発明による携帯情報端末機による施設内画像情報提供システムは、携帯情報端末機が、搭載している位置検出信号出力手段によって携帯情報端末機が位置している場所を検出してその位置検出信号を移動体通信網からコンピュータネットワークを介して施設内画像情報提供サイトに送信すると、施設内画像情報提供サイトは、施設検出手段が、携帯情報端末機の位置検出信号出力手段から入力されてくる位置検出信号に基づいて、その位置検出信号が示す位置すなわちこの携帯情報端末機を携帯しているユーザがいる位置の周辺に位置している施設の検出を行い、検出された施設を表示する表示信号をコンピュータネットワークを介して携帯情報端末機に送信する。
【００３２】
そして、例えば携帯情報端末機に表示信号によって表示された複数の施設のうちユーザが所望する任意の施設が指定されると、施設内画像情報提供サイトは、その指定された施設に設置されている施設サイトとのコンピュータネットワークを介した接続を行う。
【００３３】
そして、このコンピュータネットワークを介して接続された施設サイトから施設内に設置されている撮像手段によって撮影された施設内の様子を映した画像信号が施設内画像情報提供サイトに送信されてくると、施設内画像情報提供サイトの送信手段が、この画像信号を、位置検出信号を送信している携帯情報端末機にコンピュータネットワークおよび移動体通信網を介して送信する。
【００３４】
位置検出信号を送信した携帯情報端末機は、その画像信号受信手段が、施設内画像情報提供サイトから送信されてくる画像信号を受信すると、画像信号再生手段がこの受信した画像信号を再生して表示部に表示させる。
【００３５】
以上のように、上記第９の発明によれば、ユーザは、携帯している携帯情報端末機によって、そのとき位置している場所の周辺に位置している施設内の生の画像情報を、その施設に出向く前に入手して事前にチェックすることが出来、自分の目的に合致する施設を容易に選択することが出来るようになる。
【００３６】
そして、店舗等の施設にとっても、アピールしたい商品や陳列物を撮像手段からよく見える位置に配置しておけば、広告メディアとして大いに効果を発揮することが出来るようになる。
【００３７】
また、このような施設内画像情報提供システムによって、生情報の提供により現状把握が可能になるという点、さらに、携帯電話機等の携帯情報端末機によってこのような施設情報が何時何処でも入手出来るという点で、活字メディアによる広告や放送メディアにおけるコマーシャルよりも優れた広告メディアを提供することが出来るようになる。
【００３８】
第１０の発明による携帯情報端末機による施設内画像情報提供システムは、前記目的を達成するために、第９の発明の構成に加えて、前記施設検出手段が、地図データベースと施設データベースを備えていて地図情報およびこの地図情報内に含まれる施設情報の提供を行う地図データベースサイトであることを特徴としている。
【００３９】
この第１０の発明による携帯情報端末機による施設内画像情報提供システムによれば、携帯情報端末機の位置検出信号出力手段から施設内画像情報提供サイトに携帯情報端末機の位置を示す位置検出信号が入力されて来ると、この施設内画像情報提供サイトにコンピュータネットワークを介して接続される地図データベースサイトにおいて、入力されてきた位置検出信号に基づいて地図データベースと施設データベースの検索が行われることにより、位置検出信号が示す位置の周辺に位置する施設の検出が行われる。
【００４０】
第１１の発明による携帯情報端末機による施設内画像情報提供システムは、前記目的を達成するために、第９の発明の構成に加えて、前記施設検出手段が、前記携帯情報端末機から入力されてくる位置検出信号に基づいて、この位置検出信号が示す位置の周辺に位置するとともに携帯情報端末機において指定されたカテゴリに含まれる施設の検出を行うことを特徴としている。
【００４１】
この第１１の発明による携帯情報端末機による施設内画像情報提供システムによれば、ユーザが、例えばレストランや映画館，コンビニエンスストア，ディスカウントショップなどの施設のカテゴリをあらかじめ指定しておくことにより、施設検出手段による施設の検出において、携帯情報端末機が位置している位置の周辺に位置する施設のうちユーザが所望しているカテゴリに含まれる施設が選別されて検出されるので、ユーザは、実際に画像情報を入手しようとする施設の選択をさらに容易に行うことが出来るようになる。
【００４２】
第１２の発明による携帯情報端末機による施設内画像情報提供システムは、前記目的を達成するために、第９の発明の構成に加えて、前記携帯情報端末機が、前記施設内画像情報提供サイトの施設検出手段によって検出された複数の施設のうち画像信号の受信を行う施設を指定する施設指定手段を備えている。
【００４３】
この第１２の発明による携帯情報端末機による施設内画像情報提供システムによれば、施設内画像情報提供サイトの施設検出手段によって、携帯情報端末機が位置している位置の周辺に位置する施設が複数検出された際に、ユーザは、施設指定手段によって、その検出された複数の施設のうち任意の施設を指定することによって、所望の施設の画像情報を容易に入手することが出来るようになる。
【００４４】
第１３の発明による携帯情報端末機による施設内画像情報提供システムは、前記目的を達成するために、携帯情報端末機と、前記携帯情報端末機に移動体通信網を介して接続されるとともにコンピュータネットワークに接続される施設内画像情報提供サイトと、施設内に設置された撮像手段を備えていてこの撮像手段によって得られた画像信号をコンピュータネットワークに送信する施設サイトとを備え、前記携帯情報端末機が、画像を表示する表示部、および、コンピュータネットワークに接続された移動体通信網を介して送信されてくる画像信号を受信する画像信号受信手段，この画像信号受信手段によって受信した画像信号を再生して前記表示部に表示させる画像信号再生手段，施設指定信号を移動体通信網を介してコンピュータネットワークに出力する施設指定手段を備えており、前記施設内画像情報提供サイトが、前記携帯情報端末機の施設指定手段から入力されてくる施設指定信号によって指定された施設に設置されている前記施設サイトの撮像手段からコンピュータネットワークを介して入力されてくる画像信号を移動体通信網を介して携帯情報端末機に送信する送信手段を備えていることを特徴としている。
【００４５】
この第１３の発明による携帯情報端末機による施設内画像情報提供システムは、携帯情報端末機がその施設指定手段から、ユーザが画像情報の受信を所望する施設を示す施設指定信号を移動体通信網からコンピュータネットワークを介して施設内画像情報提供サイトに送信すると、施設内画像情報提供サイトは、入力されてきた施設指定信号が示す施設に設置されている施設サイトとのコンピュータネットワークを介した接続を行う。
【００４６】
そして、このコンピュータネットワークを介して接続された施設サイトから施設内に設置されている撮像手段によって撮影された施設内の様子を映した画像信号が施設内画像情報提供サイトに送信されてくると、施設内画像情報提供サイトの送信手段が、この画像信号を、施設指定信号を送信してきた携帯情報端末機にコンピュータネットワークおよび移動体通信網を介して送信する。
【００４７】
位置検出信号を送信している携帯情報端末機は、その画像信号受信手段が施設内画像情報提供サイトから送信されてくる画像信号を受信すると、画像信号再生手段がこの受信した画像信号を再生して表示部に表示させる。
【００４８】
以上のように、上記第１３の発明によれば、ユーザは、携帯している携帯情報端末機によって、所望の施設内の生の画像情報を、その施設に出向く前に入手して事前にチェックすることが出来、自分の目的に合致する施設を容易に選択することが出来るようになる。
【００４９】
また、店舗等の施設にとっても、アピールしたい商品や陳列物を撮像手段からよく見える位置に配置しておけば、広告メディアとして大いに効果を発揮することが出来るようになる。
【００５０】
そして、このような施設内画像情報提供システムによって、生情報の提供により現状把握が可能になるという点、さらに、携帯電話機等の携帯情報端末機によってこのような施設情報が何時何処でも入手出来るという点で、活字メディアによる広告や放送メディアにおけるコマーシャルよりも優れた広告メディアを提供することが出来るようになる。
【００５１】
第１４の発明による携帯情報端末機による施設内画像情報提供システムは、前記目的を達成するために、第１３の発明の構成に加えて、前記携帯情報端末機の施設指定手段が、前記施設サイトのＵＲＬによって施設の指定を行うことを特徴としており、これによって、ユーザは、携帯情報端末機において施設サイトのＵＲＬを指定することによって、その施設に出向かなくても、事前に施設内の生画像情報を入手することが出来るようになる。
【００５２】
第１５の発明による携帯情報端末機による施設内画像情報提供システムは、前記目的を達成するために、第１３の発明の構成に加えて、前記施設内画像情報提供サイトが、住所によって施設の検索を行う施設検索手段を備え、この施設検索手段が、前記携帯情報端末機の施設指定手段から送信されてくる施設の住所を示す施設指定信号に基づいて前記施設サイトが設置されている施設の検索を行うことを特徴としており、これによって、ユーザは、携帯情報端末機において施設サイトの住所を入力することによって、その施設に出向かなくても、事前に施設内の生画像情報を入手することが出来るようになる。
【００５３】
第１６の発明による携帯情報端末機による施設内画像情報提供システムは、前記目的を達成するために、第１３の発明の構成に加えて、前記施設検出手段が、地図データベースと施設データベースと住所データベースを備えていて地図情報およびこの地図情報内に含まれる施設情報の提供を行う地図データベースサイトであることを特徴としている。
【００５４】
この第１６の発明による携帯情報端末機による施設内画像情報提供システムによれば、携帯情報端末機の施設指定手段から施設内画像情報提供サイトに、施設の住所を示す施設指定信号が入力されて来ると、この施設内画像情報提供サイトにコンピュータネットワークを介して接続される地図データベースサイトにおいて、入力されてきた施設指定信号が示す住所に基づいて、地図データベースと施設データベースと住所データベースの検索が行われることにより、画像情報の入手を行う検出が行われる。
【００５５】
【発明の実施の形態】
以下、この発明の最も好適と思われる実施の形態について、図面を参照しながら詳細に説明を行う。
【００５６】
図１は、この発明が実施された携帯電話機の実施形態における一例を示す正面図であり、図２は、この携帯電話機の操作時の形態を示す正面図である。
【００５７】
この図１および２において、携帯電話機１０は、本体ケーシング１１の表面の中央部にディスプレイパネル１２が配置され、さらに、このディスプレイパネル１２の下方部分に、開閉カバー１３が取り付けられている。
【００５８】
この開閉カバー１３は、その上端部がディスプレイパネル１２の下端縁と平行な軸１３Ａによって、本体ケーシング１１に対して上下方向に回動自在に取り付けられている。
【００５９】
そして、本体ケーシング１１の開閉カバー１３によってカバーされる部分には、操作盤１４が取り付けられていて、図２に示されるように、この操作盤１４の表面に、電話番号の入力キーや機能キーなどの第１操作キーＫ１が配置されており、開閉カバー１３の背面（開位置にあるときに表側となる面）側に第２操作キーＫ２が配置されている。
【００６０】
本体ケーシング１１の図において右上部にＣＣＤカメラ１８が取り付けられており、また、左側部にディスプレイパネル１２の表示画面の切り替え等の操作を行うスペクトルダイヤル１９が取り付けられている。
【００６１】
図３は、この携帯電話機１０の制御部の構成の一例を示すブロック図である。この図３において、携帯電話機１０の本体ケーシング１１に取り付けられたアンテナ２０には、送受信回路２１、および、この送受信回路２１に受信された画像信号および音声信号のクロック制御を行うとともに後述するＣＰＵとのインターフェイスとして機能するデータ処理回路２２，高速演算処理型マイクロプロセッサであるＤＳＰ（Digital Signal Processor）２３が順次接続されている。
【００６２】
このＤＳＰ２３には、音声コーデック２４が接続され、この音声コーデック２４にマイク２５およびリンガ２６が接続され、さらに、変調送信回路２７および受信復調回路２８を介してスピーカ２９が接続されている。
【００６３】
このデータ処理回路２２およびＤＳＰ２３には、ＣＰＵ３０が接続されている。
そして、このＣＰＵ３０には、ディスプレイパネル１２がＬＣＤドライバ３１を介して接続され、さらに、ＣＣＤカメラ１８が信号処理回路３２を介して接続され、開閉カバー１３の開閉部に取り付けられてこの開閉カバー１３の開閉状態を検出する開閉検出センサ３３およびディスプレイパネル１２に取り付けられたタッチパネル３４が接続され、パーソナルコンピュータ等に接続されてこのパーソナルコンピュータ等との間で各種データの授受を行うコネクタ３５が外部Ｉ／Ｆ３６を介して接続され、そして、ユーザが入力する短縮ダイヤル等の各種個人データが記録されるＳＲＡＭ３７および携帯電話機の各種制御プログラムが記録されているＲＯＭ３８，機能キーや電話番号入力のためのテンキー等の各種操作キーが含まれる第１操作キーＫ１および第２操作キーＫ２，スペクトルダイヤル１９がそれぞれ接続されている。
【００６４】
さらに、ＣＰＵ３０には、ＧＰＳ（Global Positioning Sistem）回路３９が接続されていて、衛星との通信によって携帯電話機１０の位置を測定して、その位置データをＣＰＵ３０に入力するようになっている。
【００６５】
この携帯電話機１０の制御部において、アンテナ２０によって送受信回路２１に受信された無線波は、次のデータ処理回路２２において映像信号と音声信号に分離されて、ＣＰＵ３０からの指令に基づいてそれぞれクロック制御を受けながら、映像信号がＣＰＵ３０に出力され、音声信号がＤＳＰ２３に出力される。
【００６６】
ＤＳＰ２３に入力された音声信号は、このＤＳＰ２３において音声処理された後、音声コーデック２４に入力されてＤ／Ａ変換され、変調送信回路２７および受信復調回路２８を介してスピーカ２９に出力され、また、リンガ２６に出力される。
【００６７】
また、マイク２５から入力される音声信号は、音声コーデック２４によってＡ／Ｄ変換された後、ＤＳＰ２３およびデータ処理回路２２，送受信回路２１を介してアンテナ２０から発信される。
【００６８】
ＣＰＵ３０は、ＲＯＭ３８に記録された携帯電話機の各種制御プログラムによって、データ処理回路２２およびＤＳＰ２３,ＬＣＤドライバ３１等の作動制御を統括する。
【００６９】
すなわち、ＣＰＵ３０は、第１操作キーＫ１または第２操作キーＫ２の操作キーからの操作信号に基づいて、ＲＯＭ３８から操作信号に対応する制御プログラムを読み出し、この読み出した制御プログラムに基づいて、操作画面の画像データをＬＣＤドライバ３１に出力してディスプレイパネル１２に操作画面を表示させるとともに、データ処理回路２２とＤＳＰ２３の作動制御、および、ＳＲＡＭ３７へのデータの書き込みやそのデータの読み出し、コネクタ３５が接続されたパーソナルコンピュータ等との間でのデータの授受等を行う。
【００７０】
さらに、ＣＰＵ３０は、スペクトルダイヤル１９による表示画面の切り替え操作があったときには、ＲＯＭ３８から読み出した対応する画像データをＬＣＤドライバ３１に出力して、ディスプレイパネル１２に表示される画面の切替を行う。
【００７１】
またさらに、ＣＰＵ３０は、ＣＣＤカメラ１８による撮影が行われる際には、信号処理回路３２によって信号処理されたＣＣＤカメラ１８からの映像信号が入力されて、この映像信号をＬＣＤドライバ３１に出力することにより、ディスプレイパネル１２に撮影映像を表示させる。
【００７２】
さらにまた、ＣＰＵ３０は、ＧＰＳ回路３９から入力される位置データを、データ処理回路２２および送受信回路２１を介してアンテナ２０から移動体通信網に送信し、さらに、インターネットを介して後述する施設内画像情報提供サイトに送信する。
【００７３】
この例において、携帯電話機１０は、電話および新着情報，メール，ウェブ，音楽／画像，ＰＩＭ（Personal Infomation Manager)の６つのアプリケーションを搭載しており、図４に示されるように、それぞれのアプリケーションに対応する電話画面Ａおよび新着情報画面Ｂ，メール画面Ｃ，ウェブ画面Ｄ，音楽／画像画面Ｅ，ＰＩＭ画面Ｆが、スペクトルダイヤル１９の操作によってディスプレイパネル１２に順次表示されるようになっている。
【００７４】
図５（ａ）はディスプレイパネル１２に表示される電話画面Ａの一例を示しており、さらに、（ｂ）は新着情報画面Ｂの一例を、（ｃ）はメール画面Ｃの一例を、（ｄ）はウェブ画面Ｄの一例を、（ｅ）は音楽／画像画面Ｅの一例を、（ｆ）はＰＩＭ画面Ｆの一例をそれぞれ示している。
【００７５】
図６は、この各アプリケーションの画面Ａ〜Ｆがディスプレイパネル１２において表示される際の画面イメージを示す概念図である。
【００７６】
すなわち、表示画面Ａ〜Ｆは、イメージ的に、スペクトルダイヤル１９を中心とする円盤Ｔの放射状に６つに分割された領域内に図４の配列でそれぞれ一つずつ割り付けられた形態となっていて、スペクトルダイヤル１９の回転操作によって円盤Ｔがスペクトルダイヤル１９を中心に回転することにより、円盤Ｔ上の画面Ａ〜Ｆが、順次、ディスプレイパネル１２内に現れるようになっている。
【００７７】
なお、この円盤Ｔの放射状に分割された各領域は、それぞれ色分けされていて、ディスプレイパネル１２に表示される各画面Ａ〜Ｆごとに、その背景色が異なるようになっている。
【００７８】
そして、各画面Ａ〜Ｆには、図７にイメージ的に表現されるように、それぞれのアプリケーションに対応するコンテンツＡａ〜Ｆａが空間的に構築されている。
また、各アプリケーションには、図８に示されるように、モード切替により画面Ａ〜Ｆに代えて表示されるそれぞれの入力編集画面Ａ’〜Ｆ’が用意されている。
【００７９】
このような、ディスプレイパネル１２における画面Ａ〜Ｆと入力編集画面Ａ’〜Ｆ’の表示形態および各アプリケーションに対応するコンテンツＡａ〜Ｆａの構築は、制御部のＲＯＭ３８（図３参照）に格納されたプログラムによって実行される。
【００８０】
図９は、この発明の携帯情報端末機による施設内画像情報提供システムの実施形態における一例を示すシステム構成図である。
【００８１】
なお、以下においては、画像情報の提供を行う施設としてデパートなどの店舗を例に挙げて説明を行うが、この施設内画像情報提供システムは、店舗だけに限られず、博物館や美術館，展覧会場，競技場など、様々な施設への適用が考えられる。
【００８２】
この図９において、施設内画像情報提供サイトＳ１は、携帯電話機１０や他の携帯情報端末機１０’に、この携帯電話機１０や携帯情報端末機１０’から送信されてくる位置データに基づいて、後述する施設サイトＳ２から提供される画像情報をインターネットを介して送信するサイトであり、管理制御サーバＳ１ａ、および、プログラムデータベースＳ１ｂ，登録施設データベースＳ１ｃを備えている。
【００８３】
この施設内画像情報提供サイトＳ１のプログラムデータベースＳ１ｂには、各施設サイトＳ２のＩＤ（Identification Number）、および、施設サイトＳ２において後述するようなＣＣＤカメラの駆動制御や画像情報の処理を行うための処理プログラムが、各ＩＤ毎に格納されている。
【００８４】
また、登録ユーザデータベースＳ１ｃには、この施設内画像情報提供システムに登録された施設に関する情報として、登録施設の施設サイトＳ２を識別するＩＤ、および、ＩＤごとの店舗の名称，カテゴリ，位置データ等が登録されている。
【００８５】
そして、管理制御サーバＳ１ａは、後で詳述するように、携帯電話機１０や携帯情報端末機１０’から送信されてくる位置情報を受信し、さらに、携帯電話機１０や携帯情報端末機１０’が位置している店舗の施設サイトＳ２から送信されてくる画像情報を受信して、この画像情報をインターネットＩおよび移動体通信網Ｎを介して携帯電話機１０や携帯情報端末機１０’に送信を行うよう設定されている。
【００８６】
施設内画像情報提供システムに登録された各店舗には、それぞれインターネットＩに接続された施設サイトＳ２が設置されており、この施設サイトＳ２は、施設内画像情報提供サイトＳ１との情報の送受信の制御を統括する施設サーバＳ２ａと、ＣＣＤカメラの駆動装置Ｓ２ｂと、店舗内の所要の位置に設置されたＣＣＤカメラＳ２ｃを備えている。
【００８７】
次に、携帯電話機１０によって店舗（施設）内の画像情報を受信する際の、携帯電話機１０における操作手順および作動について説明を行う。
【００８８】
図１０は、携帯電話機１０のモード切替（アプリケーションの選択）時のメインルーチンを示すフローチャートである。
【００８９】
この図１０において、ＣＰＵ３０（図３参照）は、入力編集中か否かの判断を行い（ステップａ１）、入力編集中でない場合には、次に、スペクトルダイヤル１９の操作の有無およびこのスペクトルダイヤル１９の操作によって選択されるアプリケーションにリンクバッファが設定されているか否かの判断を行う（ステップａ２）。
【００９０】
このステップａ２において、スペクトルダイヤル１９の操作が有った場合には、このスペクトルダイヤル１９の操作によって選択されたアプリケーションへのモード切替を行うとともに、選択されたアプリケーションにリンクバッファが設定されている場合にはそのリンクバッファのクリアを行う（ステップａ３）。
【００９１】
そして、各アプリケーションのビューワ・モードのサブルーチンに移行する（ステップａ４）。
【００９２】
ステップａ２において、スペクトルダイヤル１９の操作が無い場合には、前回の操作によって選択されたアプリケーションのビューワ・モードにおけるステップａ４のサブルーチンに移行する。
【００９３】
また、ステップａ１において、入力編集中の場合には、前回の操作によって選択されたアプリケーションの入力編集モードにおけるサブルーチンに移行する（ステップａ５）。
【００９４】
そして、終了キー入力の有無を判断して（ステップａ６）、終了キー入力が無い場合には、上記ステップａ１からの手順を繰り返し、終了キー入力が有った場合には、選択されているアプリケーションのビューワ・モードまたは入力編集モードを終了する。
【００９５】
この携帯電話機１０のモード切替操作において、入店した店舗内の画像を受信する場合には、ＧＰＳ回路３９（図３参照）の電源をオンにして、携帯電話機１０や携帯情報端末機１０’が位置している場所の位置情報の検出を開始した後、ウェブ・アプリケーションのビューワ・モードを選択して、そのウェブ画面Ｄを携帯電話機１０や携帯情報端末機１０’のディスプレイパネル１２に表示させる。
【００９６】
そして、このウェブ画面Ｄにおいて、ウェブ入力編集画面Ｄ’を表示させて、施設内画像情報提供サイトＳ１のＵＲＬ（Uniform Resource Locator)を入力すると、携帯電話機１０や携帯情報端末機１０’が、移動体通信網ＮからインターネットＩを介して施設内画像情報提供サイトＳ１にアクセスして接続される。
【００９７】
これによって、ＧＰＳ回路３９によって検出された携帯電話機１０や携帯情報端末機１０’の位置、すなわち、この携帯電話機１０や携帯情報端末機１０’を携帯しているユーザが入店した店舗の位置を示す位置データが、インターネットＩを介して施設内画像情報提供サイトＳ１の管理制御サーバＳ１ａに送信される。
【００９８】
この携帯電話機１０や携帯情報端末機１０’の位置データを受信した管理制御サーバＳ１ａは、この受信した位置データに基づいて登録施設データベースＳ１ｃを検索して、一致する位置データを有する登録店舗の施設サイトＳ２のＩＤの読み出しを行う。
【００９９】
管理制御サーバＳ１ａは、さらに、この読み出したＩＤに基づいて、プログラムデータベースＳ１ｂを検索して、一致するＩＤを有する処理プログラムの読み出しを行う。
【０１００】
そして、管理制御サーバＳ１ａは、この読み出した処理プログラムに基づいて、そのＩＤを有する施設サイトＳ２にインターネットＩを介してアクセスして、接続を行う。
【０１０１】
この管理制御サーバＳ１ａからアクセスされた施設サイトＳ２は、携帯電話機１０や携帯情報端末機１０’を携帯しているユーザが入店した店舗に設置されている施設サイトである。
【０１０２】
そして、この施設サイトＳ２の施設サーバＳ２ａは、管理制御サーバＳ１ａに読み出されている処理プログラムによって、駆動装置Ｓ２ｂを制御することによりＣＣＤカメラＳ２ｃを駆動させて、店舗内の様子を撮影する。
【０１０３】
このＣＣＤカメラＳ２ｃによって撮影された店舗内の画像情報は、施設サーバＳ２ａからインターネットＩを介して施設内画像情報提供サイトＳ１の管理制御サーバＳ１ａに送信される。
【０１０４】
このとき、店舗内の複数の箇所にＣＣＤカメラＳ２ｃがそれぞれ設置されている場合には、あらかじめ設定された所定の時間間隔ごとに店舗内の各箇所のＣＣＤカメラＳ２ｃを順次切り替えて、撮影画像を順次取り込んでゆく。
また、各ＣＣＤカメラＳ２ｃについては、それぞれを回動させて店舗内の所定範囲を順次撮影してゆくようにする。
【０１０５】
このようにして施設サイトＳ２から施設内画像情報提供サイトＳ１に送信された店舗内の画像情報は、管理制御サーバＳ１ａがインターネットＩおよび移動体通信網Ｎを介して携帯電話機１０または携帯情報端末機１０’に送信する。
【０１０６】
このようにして施設内画像情報提供サイトＳ１から送信されてきた店舗内の画像情報をアンテナ２０および送受信回路２１によって受信した携帯電話機１０や携帯情報端末機１０’は、この画像情報をデータ処理回路２２において復調してその画像信号をクロック制御しながらＣＰＵ３０に入力させる。
【０１０７】
なお、デジタル映像信号に音声信号が含まれている場合には、音声信号をこのデータ処理回路２２において分離してＤＳＰ２３に入力させることにより、前述したように携帯電話機１０のスピーカ２９から出力させる。
【０１０８】
ＣＰＵ３０に入力された復調された画像信号は、このＣＰＵ３０において、圧縮解凍等の必要な処理が行われた後、ＬＣＤドライバ３１に出力され、このＬＣＤドライバ３１によって、入力されてくる画像信号に基づいて、例えば図１１に示されるような店内の様子を撮影した画像を、リアルタイムでディスプレイパネル１２に表示させる。
【０１０９】
以上のようにして、ユーザは、携帯電話機１０や携帯情報端末機１０’によって、入店している店舗内の様子を撮影した画像をリアルタイムで見ることが出来る。
【０１１０】
なお、上記の携帯電話機１０の操作において、入店した店舗が施設内画像情報提供システムに登録を行っている店舗でない場合には、施設内画像情報提供サイトＳ１の管理制御サーバＳ１ａは、登録施設データベースＳ１ｃの検索の結果、携帯電話機１０から送信されてくる位置データに対応する店舗は登録されていないとして、その旨のメッセージを表示する信号を携帯電話機１０や携帯情報端末機１０’に送信して、携帯電話機１０等のディスプレイパネル１２に表示させる。
【０１１１】
ここで、上記施設内画像情報提供システムにおいて、施設内画像情報提供サイトＳ１のプログラムデータベースＳ１ｂに蓄積されている各ＩＤ毎の処理プログラムに、アクセスしてくる携帯電話機１０および携帯情報端末機１０’を識別するデータを付加しておき、この携帯電話機１０等の識別データをその携帯電話機１０等が位置している店舗の施設サイトＳ２に送信することにより、施設サイトＳ２の施設サーバＳ２ａから移動体通信網Ｎを介して、直接、携帯電話機１０等にＣＣＤカメラＳ２ｃによる撮影画像の画像情報を送信するようにしてもよい。
【０１１２】
また、施設サイトＳ２においてＣＣＤカメラＳ２ｃを常時駆動しておき、ＧＰＳ回路３９（図３参照）によって検出を行った位置データを施設内画像情報提供サイトＳ１に送信している携帯電話機１０や携帯情報端末機１０’が施設内画像情報提供システムに登録している任意の店舗内に入って来ると、施設内画像情報提供サイトＳ１が、携帯電話機１０等が入った店舗の施設サイトＳ２にＣＣＤカメラＳ２ｃによる画像情報を施設内画像情報提供サイトＳ１に送信するよう指示して、その送信されてきた画像情報を携帯電話機１０等に送信するようにしてもよい。
【０１１３】
図１２は、この発明による施設内画像情報提供システムの実施形態における他の例を示すシステム構成図である。
【０１１４】
この例における施設内画像情報提供システムは、施設内画像情報提供サイトＳ１の登録施設データベースＳ１ｃに記録されている各登録店舗のデータに位置データを含んでおらず、携帯電話機１０や携帯情報端末機１０’が登録店舗内に入ったか否かの判断は、インターネットＩに接続されている地図データベースサイトＳ３から提供される地図データに基づいて行うようになっているものである。
【０１１５】
この地図データベースサイトＳ３は、地図情報の提供を行う地図サーバＳ３ａと、地図画像データが蓄積された地図データベースＳ３ｂと、地図上の施設の名称や位置を示す座標データなどが蓄積された施設データベースＳ３ｃと、地図上の住所データが蓄積された住所データベースＳ３ｄとを備えていて、インターネットＩに接続されている他の各種サイトに地図情報に関する様々なサービスを行うようになっている。
【０１１６】
そして、この地図データベースサイトＳ３の施設データベースＳ３ｃに記録されている各施設のうち、施設内画像情報提供システムに登録されている店舗には、それぞれＩＤが付されている。
【０１１７】
この施設内画像情報提供システムにおいては、携帯電話機１０や携帯情報端末機１０’から施設内画像情報提供サイトＳ１にＧＰＳ回路３９によって検出されたその携帯電話機１０等の位置を示す位置データが入力されると、管理制御サーバＳ１ａは、その携帯電話機１０等の位置データをインターネットＩを介して地図データベースサイトＳ３に送信する。
【０１１８】
この携帯電話機１０からの位置データを受信した地図サーバＳ３ａは、施設データベースＳ３ｃの検索によって、蓄積されている施設情報の中から位置データが一致する店舗のＩＤを示すデータを読み出し、この読み出したＩＤデータをインターネットＩを介して施設内画像情報提供サイトＳ１に送信する。
【０１１９】
そして、この地図データベースサイトＳ３からのＩＤデータを受信した施設内画像情報提供サイトＳ１の管理制御サーバＳ１ａは、登録施設データベースＳ１ｃを検索して、一致するＩＤを有する店舗があるとき、すなわち、携帯電話機１０や携帯情報端末機１０’が入った店舗が施設内画像情報提供システムに登録されているときには、前述した例の場合と同様に、プログラムデータベースＳ１ｂを検索して、一致するＩＤを有する処理プログラムの読み出しを行う。
【０１２０】
そして、管理制御サーバＳ１ａは、この読み出した処理プログラムに基づいてそのＩＤを有する施設サイトＳ２にインターネットＩを介してアクセスすることにより、施設サイトＳ２のＣＣＤカメラＳ２ｃから得られる撮影画像情報を受信してこれをさらに携帯電話機１０や携帯情報端末機１０’に送信することにより、携帯電話機１０等のディスプレイパネル１２に、入店した店舗内の様子を映した画像を表示させる。
【０１２１】
なお、施設内画像情報提供サイトＳ１の登録施設データベースＳ１ｃに、地図データベースサイトＳ３の施設データベースＳ３ｃから読み出された店舗のＩＤに該当するＩＤが記録されていない場合には、携帯電話機１０や携帯情報端末機１０’が入った店舗は施設内画像情報提供システムに登録されていないとして、管理制御サーバＳ１ａは、その旨のメッセージを表示する信号を携帯電話機１０等に送信して、携帯電話機１０等のディスプレイパネル１２に表示させる。
【０１２２】
この例における施設内画像情報提供システムは、携帯電話機１０や携帯情報端末機１０’が入った店舗がこのシステムに登録されている店舗であるか否かの判定を、地図に関する様々なサービスを行っている地図データベースサイトＳ３によるサービスを利用して行うようになっており、このような地図データベースサイトＳ３は、通常、常に最新の地図情報を更新するようになっているので、登録されている店舗が移転したような場合でも、施設内画像情報提供サイトＳ１の登録施設データベースＳ１ｃのデータの書き換えを行う必要がなく、地図データベースサイトＳ３におけるメンテナンスによって、携帯電話機１０等への施設内画像情報の提供サービスを行うことが出来る。
【０１２３】
以上の各例は、ユーザが携帯する携帯電話機１０や携帯情報端末機１０’が店舗等の施設内に位置していることを検出して、その施設内の様子を映した画像を、そのユーザが携帯する携帯電話機１０や携帯情報端末機１０’のディスプレイパネルに表示させるものであるが、以下に示す例は、携帯電話機１０や携帯情報端末機１０’を携帯するユーザが位置している場所の周辺に位置する施設の施設内画像情報を、携帯電話機１０や携帯情報端末機１０’のディスプレイパネルに表示させるものである。
【０１２４】
すなわち、図１２において、携帯電話機１０（図１参照）から施設内画像情報提供サイトＳ１にＧＰＳ回路３９によって検出されたその携帯電話機１０の位置を示す位置データが入力されると、管理制御サーバＳ１ａは、その携帯電話機１０等の位置データをインターネットＩを介して地図データベースサイトＳ３に送信する。
【０１２５】
この携帯電話機１０からの位置データを受信した地図サーバＳ３ａは、この位置データに基づいて地図データベースＳ３ｂおよび施設データベースＳ３ｃを検索することにより、地図データベースＳ３ｂからこの携帯電話機１０を携帯しているユーザが位置している場所を含む周辺の地図データが読み出され、さらに、この読み出された地図データが示す地図画像の範囲内に含まれる店舗等の各種施設が施設データベースＳ３ｃから読み出される。
【０１２６】
そして、この各データベースから読み出された地図データおよび施設データは、インターネットＩを介して携帯電話機１０に送信され、そのディスプレイパネル１２（図１参照）に地図画像が表示されるとともにこの地図画像上に各施設がその立地位置に表示される。
【０１２７】
このとき、各施設を示すランドマークにはハイパリンクが埋め込まれていて、施設内画像情報提供サイトＳ１にリンクするようになっている。
【０１２８】
ユーザは、これから入店しようとする店舗などの施設を示す所望のランドマークを指定すると、その指定情報は、インターネットＩを介して施設内画像情報提供サイトＳ１の管理制御サーバＳ１ａに送信され、管理制御サーバＳ１ａは、その指定情報に基づいて登録施設データベースＳ１ｃの検索を行い、指定された施設のＩＤが登録施設データベースＳ１ｃに登録されているときには、前述した例の場合と同様に、さらにプログラムデータベースＳ１ｂの検索を行って、一致するＩＤを有する処理プログラムを読み出す。
【０１２９】
そして、管理制御サーバＳ１ａは、この読み出した処理プログラムに基づいてそのＩＤを有する施設サイトＳ２にインターネットＩを介してアクセスすることにより、施設サイトＳ２のＣＣＤカメラＳ２ｃから得られる撮影画像情報を受信してこれをさらに携帯電話機１０に送信することにより、携帯電話機１０のディスプレイパネル１２に、ユーザが指定した施設内の様子を映した画像を表示させる。
【０１３０】
なお、施設内画像情報提供サイトＳ１の登録施設データベースＳ１ｃに、携帯電話機１０に表示されている地図画像上において指定された施設のＩＤが登録されていない場合には、管理制御サーバＳ１ａは、その旨のメッセージを表示する信号を携帯電話機１０に送信して、そのディスプレイパネル１２に表示させる。
【０１３１】
上記のようにして、ユーザは、そのとき位置している場所の周辺にある施設のうちこれから入店を希望する店舗等の施設内の様子を携帯電話機１０に表示させて、事前にチェックすることが出来る。
【０１３２】
以上のように、携帯電話機１０を携帯しているユーザは、これから出向いてみたいと思う施設内の様子を映した生情報を入手出来ることによって、自分の目的に合致する施設を容易に選択することが出来るようになるとともに、店舗等の施設にとっても、アピールしたい商品や陳列物をＣＣＤカメラＳ２ｃからよく見える位置に配置しておけば、広告メディアとして大いに効果を発揮することが出来るようになる。
【０１３３】
そして、このような施設内画像情報提供システムによって、生情報の提供により現状把握が可能になるという点、さらに、携帯電話機等の携帯情報端末機によってこのような施設情報が何時何処でも入手出来るという点で、活字メディアによる広告や放送メディアにおけるコマーシャルよりも優れた広告メディアを提供することが出来るようになる。
【０１３４】
また、例えば、ユーザが施設内画像情報提供サイトＳ１から提供される画像データを保存してその施設に持っていくことでサービス特典等を受けることが出来る等のシステムを確立することによって、施設側の集客力を増すことが出来るようになるとともに、ユーザ側のメリットも一層増すことになる。
【０１３５】
上記においては、施設内画像情報の提供を受けようとする施設の指定を、地図画面上に表示されてランドマークによって行う例が示されているが、携帯電話機１０を携帯したユーザが位置している場所の周辺にある施設を示す一覧表を地図画像とともにまたは単独で携帯電話機１０のディスプレイパネル１２に表示して、この一覧表に表示されているハイパリンクが埋め込まれた施設名を指定することにより、任意の施設内画像情報の提供が受けられるようにしても良い。
【０１３６】
そして、この一覧表を表示させる際に、施設のカテゴリ（レストラン，映画館，コンビニエンスストア，ディスカウントショップなど）をあらかじめ指定することによって、目的のカテゴリに属する施設のみの一覧表を表示させるようにすることも出来る。
【０１３７】
また、図１２において、ユーザは、携帯電話機１０のＧＰＳ回路３９を用いない場合には、施設内画像情報提供サイトＳ１にアクセスした後、所望の地域名と施設カテゴリなどを指定することにより、所望の施設の施設内画像情報の提供を受けることも出来、この場合には、地図データベースサイトＳ３は、施設データベースＳ３ｃおよび住所データベースＳ３ｄの検索によって指定地域およびカテゴリに属する施設を読み出して、その一覧表を携帯電話機１０のディスプレイパネル１２に表示させる。
【０１３８】
また、さらに、ユーザが携帯電話機１０から施設内画像情報提供サイトＳ１にアクセスした後、ＵＲＬを入力することにより、施設内画像情報の提供を受けたいと所望する施設の施設サイトＳ２を指定することも出来る。
【図面の簡単な説明】
【図１】この発明の実施形態における携帯電話機の一例を開閉カバーが閉じられた状態で示す正面図である。
【図２】同携帯電話機を開閉カバーが開かれた状態で示す正面図である。
【図３】同携帯電話機の制御部を示すブロック図である。
【図４】同例におけるアプリケーション画面の配列のイメージを示す説明図である。
【図５】同例におけるアプリケーション画面の例を示す説明図である。
【図６】同例におけるアプリケーション画面の表示形態を説明するための概念図である。
【図７】同例におけるアプリケーション画面の形態を説明するための概念図である。
【図８】同例における各アプリケーションの入力編集画面の配列のイメージを示す説明図である。
【図９】この発明による施設内画像情報提供システムの実施形態における一例を示すシステム構成図である。
【図１０】同例の携帯電話機の制御部において行われる画面表示制御のメインルーチンを示すフローチャートである。
【図１１】同例において携帯電話機のディスプレイパネルに表示される画面の一例を示す図である。
【図１２】この発明による施設内画像情報提供システムの実施形態における他の例を示すシステム構成図である。
【符号の説明】
１０    …携帯電話機（携帯情報端末機）
１１    …本体ケーシング
１２    …ディスプレイパネル（表示部）
１３    …開閉カバー
１４    …操作盤
１９    …スペクトルダイヤル（操作部）
３０    …ＣＰＵ
３１    …ＬＣＤドライバ
３４    …タッチパネル
３７    …ＳＲＡＭ
３８    …ＲＯＭ
３９    …ＧＰＳ回路（位置検出信号出力手段）
Ｓ１    …施設内画像情報提供サイト
Ｓ１ａ  …管理制御サーバ（判定手段，送信手段）
Ｓ１ｂ  …プログラムデータベース
Ｓ１ｃ  …登録施設データベース
Ｓ２    …施設サイト
Ｓ２ａ  …施設サーバ
Ｓ２ｂ  …駆動装置
Ｓ２ｃ  …ＣＣＤカメラ（撮像手段）
Ｓ３    …地図データベースサイト
Ｓ３ａ  …地図サーバ
Ｓ３ｂ  …地図データベース
Ｓ３ｃ  …施設データベース
Ｓ３ｄ  …住所データベース
Ａ      …電話画面
Ｂ      …新着情報画面
Ｃ      …メール画面
Ｄ      …ウェブ画面
Ｅ      …音楽／画像画面
Ｆ      …ＰＩＭ画面
Ｔ      …回線接続端子
Ｎ      …移動体通信網
Ｉ      …インターネット（コンピュータネットワーク）
【図１】
0004080680.tif 000002
【図２】
0004080680.tif 000003
【図３】
0004080680.tif 000004
【図４】
0004080680.tif 000005
【図５】
0004080680.tif 000006
【図６】
0004080680.tif 000007
【図７】
0004080680.tif 000008
【図８】
0004080680.tif 000009
【図９】
0004080680.tif 000010
【図１０】
0004080680.tif 000011
【図１１】
0004080680.tif 000012
【図１２】
0004080680.tif 000013